(57)【要約】      （修正有）【課題】使用時のエチケット掲示を含むトイレ行為におけるオートメーション化。【解決手段】トイレドア部に光反射板１を設置し、本体２から発している光線を１００％に近い量でさらに本体へと反射させた場合に、トイレ照明、消臭芳香スプレー、さらにはエチケット音源再生のＯＮ／ＯＦＦを行う。【選択図】図１
0003124324.tif 000002
【実用新案登録請求の範囲】
【請求項１】
本体とドアの光反射部におけるやりとりによって、電気的動作を行う方法
【請求項２】
ドア部から本体への認識動作から、明細中のトイレ環境での機能を随行すること
【考案の詳細な説明】
【技術分野】
【０００１】基本的にトイレ室用装置、さらにはドアの開閉にまつわる電源装置に関わる。
【背景技術】
【０００２】トイレに入室する際に、前もってトイレ照明をつけてから中へ入ることがごく一般的になっている。消臭に関してはトイレ内に常駐させる芳香剤を置くのが一般的で、もしくはトイレ使用後に消臭スプレーを使用者側の選択において部屋内に吹きかけるスタイルも存在している。また、トイレ使用中の際の発生音を別の音源を再生することによって打ち消す装置は、一般家庭には普及していない。
【考案の開示】
【考案が解決しようとする課題】
【０００３】トイレ照明を使わなくても、ドアの開閉によってトイレ内の照明がＯＮ／ＯＦＦ出来るようにする。それと同じ検知によって消臭芳香スプレーをトイレ内に発生させる機構を組み入れ、家庭内での他人へのエチケット提示もオートメーション化する。さらに、音源またはオーディオ音源をトイレ使用中に再生する仕組みを取り入れ、さらなるエチケットを一般家庭へ向けて提唱する。
【課題を解決するための手段】
【０００４】図面１の▲１▼の形状に鏡面加工をした光反射板を用いて、▲２▼の本体から常に発射させている光線を、そこで反射させるようにする。通常は▲１▼の反射板が本体と正面どうしで向かい合っていないため、▲２▼から発する光線は１００％に近い量を検知できない。しかし、ドアが開く際に図面２のように正面どうしで向かい合うタイミングは必ず発生するため、その際、もっとも光検知量が強くなった時点で本体のトイレ照明スイッチ、消臭スプレースイッチ、エチケット音源再生スイッチを入れることとする。【０００５】その直後にトイレドアを閉める動作が存在するため、最初の検知から数秒間は、光検知をしても動作しない設定タイミングを設ける。【０００６】トイレット行為後、ドアを開けた際に、また同じ検知を本体で認識した際にトイレ照明ＯＦＦ、もう一度消臭スプレー動作の実行、そしてエチケット音源再生のＯＦＦを本体側で行う。【０００７】図面１と逆側に扉が開く場合は図面３の位置に反射板を取り付けることにより、同じ検知が出来る。またこれらと左右対称となったトイレ配置だとしても、本体▲２▼の光認識部を左右２箇所に設けることで、すべて対応が可能になる。【０００８】扉の開き方が図面１と同じで、しかしその上部に壁がないか、またはその位置に本体が設置できない場合は、図面４のもうひとつの形状の反射板を用いて、図の位置で最大光線量の検知をさせるようにする。本体は、常に同じ▲２▼の受光部のこの角度を持たせた形状で対応できる。一般的な家庭内トイレは扉が閉まっている際に、その扉と直角に交わっている位置に壁が存在しないことは考えづらく、引き戸以外の扉のほとんどの家庭、または公衆の場でのトイレにおいても、この２種類の反射板で対応できる。
【考案の効果】
【０００９】家庭内に知人、友人を招いた場合の、特に女性のトイレ使用時におけるエチケット提示というものが現在不足しているように思われる。使用中、使用後のそれらのケアーが自動化されたアイディアはなかなか一般に流通していない。それらの事柄に対してこれは、一般大衆にも手が届くひとつの製品としての提示となる。【００１０】この商品とまったく同じ機能を別々に持たせ、トイレ使用中に機能させようとすると、最初、照明を付けてから最後に消すまでの間、６回ものスイッチングが必要となる。しかも、それらのスイッチ位置が別々の場所に散らばるため、その不便性はかなりの割合で感じられる。しかし、この商品が機能を随行させるために必要なスイッチ操作は、ゼロ、皆無である。要するにドアの開閉にすべての本体動作が関わるため、これは人間の日常における完全なオートメーション機構となっている。そしてその先には自らと、他者へのエチケット感覚が直結している。
【考案を実施するための最良の形態】
【００１１】常に発光と光検知認識を本体側で継続させる都合上、電源コンセントがトイレ内に配置してあることが求められる。しかし、それは絶対条件ではない。【００１２】市販されているものと同程度のトイレ用スプレーを、本体販売後も、消耗品としてユーザーへ提供していく必要がある。【００１３】エチケット音源再生のために、本体内部に再生装置を備えるか、または携帯型デジタルオーディオプレーヤーの小規模なものを備え、つけ外しが可能なメモリーカードを用いることによって、使用者の好みの音楽、環境音をトイレ使用中に演奏させることが可能になる。これは、エチケットに足してさらに、トイレ使用の際の快感覚の提示にもなる。
【実施例】
【００１４】図面５が本体部の具体例図案である。以下にあげるのはその各部の配置説明である。▲１▼：照明部、▲２▼：消臭または芳香スプレーの収納部、▲３▼：スプレー排気口、▲４▼：スプレーマニュアルスイッチ、▲５▼：スプレー動作時間設定とＯＮ／ＯＦＦつまみ、▲６▼：オーディオメモリーカード付け差し部、▲７▼：オーディオＯＮ／ＯＦＦスイッチ、▲８▼：選曲つまみ、▲９▼：光発光部と光検知部、▲１０▼：照明ＯＮ／ＯＦＦスイッチ
【産業上の利用可能性】
【００１５】これは、家の新築改築や特別な工事を必要とせず、ユーザー自身の手によって設置することが可能で、手軽、便利かつ好環境という要素を持った単独製品として、大衆のライフスタイルへと組み込まれていくことも予想できる。
【図面の簡単な説明】
【００１６】
【図１】本体側と光反射部の位置と光線のやりとりを示した図。
【図２】本体側と光反射部の位置と光線のやりとりを示した図。
【図３】本体側と光反射部の位置と光線のやりとりを示した図。
【図４】本体側と光反射部の位置と光線のやりとりを示した図。
【図５】本体にすべての機能を持たせた場合の本体図を正面から表したものである。
【図１】
0003124324.tif 000003
【図２】
0003124324.tif 000004
【図３】
0003124324.tif 000005
【図４】
0003124324.tif 000006
【図５】
0003124324.tif 000007
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
ドアの開閉の際に、ドアに設置した光反射部の角度の変化を発光部を持つ本体側で感知し、ドア開閉を自動的に認識する仕組
【請求項２】
ドア開閉の際の光反射部とのやりとりによって、電気的動作を行い本体でトイレ内の好環境提示をする物品
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
ドアに鏡面加工をした光反射板を設置し、部屋壁に設置した本体部からその反射板へ発光する光の反射がドアの開閉の際に変化することを本体側で感知し、ドアの開閉を認識する検知装置
【請求項２】
ドア開閉の際の光反射部とのやりとりを特徴とする請求項１記載の検知装置によって、電気的動作を行うトイレ内の照明、消臭、エチケット防音装置